(57)【特許請求の範囲】
【請求項１】
什器本体の上方に配設した天板の下面の少なくとも３箇所に、下向きの調整軸を突設し、この調整軸と、上下方向の少なくとも一部が操作つまみ部となっている操作部材とを、それらの一方に設けた上下方向を向くめねじに、他方に設けたおねじ部を螺合させ、かつ前記調整軸または操作部材の下端部を、前記什器本体の上面に設けた支持孔に回動自在に嵌合させて支持し、前記操作つまみ部を回動させることにより、前記天板の高さを調節しうるようにした天板の高さ調節装置において、
前記什器本体の上面における支持孔の近傍に、平板状をなす基片と、その対向する側縁より下向きに延出し、かつ下端部に係合部を有する１対の係合片とからなる抜け止め部材を、両係合部を前記什器本体の上面に設けられた被係合部に係合させることにより、前記基片の下面の少なくとも一部が、前記操作つまみ部の上端と近接または当接するようにして装着したことを特徴とする天板の高さ調節装置。
【請求項２】
両係合片を、互いに内向きに弾性変形可能な弾性係合片とし、かつ係合部を外向き鉤状の係合爪とするとともに、被係合部を係合孔とし、前記両弾性係合片を内向きに弾性変形させつつ、前記係合爪を係合孔に弾性係合させてなる請求項１記載の天板の高さ調節装置。
【請求項３】
両係合片を、下方に向かって漸次ハ字状に拡開するとともに、下端部がほぼ垂直をなす形状としてなる請求項１または２記載の天板の高さ調節装置。
【請求項４】
両係合片の上端部の対向面間の寸法を、操作つまみ部の外径とほぼ等しくしてなる請求項１〜３のいずれかに記載の天板の高さ調節装置。
【請求項５】
抜け止め部材の基片に、操作つまみ部の外径よりも小径で、かつ調整軸または操作部材のおねじ部に挿通される通孔を設けてなる請求項１〜４のいずれかに記載の天板の高さ調節装置。
【請求項６】
抜け止め部材の基片に、調整軸または操作部材のおねじ部に側方より嵌合される、平面視横向きＵ字状の取付溝を設けてなる請求項１〜４のいずれかに記載の天板の高さ調節装置。
【発明の詳細な説明】
【技術分野】
【０００１】
本発明は、物品収納什器等の天板の高さ調節装置に関する。
【背景技術】
【０００２】
オフィス等の執務空間において、上部に天板を有する什器同士を隣接させて使用する際に、床面が不陸であったり、什器自体に加工または組付誤差が生じたりしていると、隣接する天板面が同一面に整合しないことがある。
そのため、通常の什器は、脚や什器本体の下端に高さ調節用アジャスタを設けて、天板の高さを変えうるようにしている。
【０００３】
しかし、このようなアジャスタは、ワゴン型の物品収納什器等、下端にキャスタを有する移動自在な什器には取付けることができない。
本願の出願人は、什器本体の上面と天板の下面との間に高さ調節装置を設け、下端にキャスタが設けられていても、天板の高さを変えうるようにしたものを案出し、先に特許出願している（例えば特許文献１参照）。
【特許文献１】特開２００６−１３６４２０号公報
【発明の開示】
【発明が解決しようとする課題】
【０００４】
上述した特許文献に記載されている従来の天板の高さ調節装置は、天板の下面に下向き突設された調整軸における下端部のおねじ部を、什器本体の支持孔に回動自在に嵌合された筒状アジャスタにおけるめねじ筒に螺合し、筒状アジャスタを回動させて調整軸を上下動させることにより、天板の高さを調整しうるようになっている。
【０００５】
そのため、天板の一端部に上方から強い下向き荷重が加わると、天板の他端部を支持している筒状アジャスタが、什器本体の支持孔より抜け、天板の他端部が浮き上がったり、什器本体より外れたりする恐れがあった。
また、什器を移動させる際に、天板を手で持ち上げたときにも、筒状アジャスタが支持孔より抜け、天板が什器本体より外れることがあった。
【０００６】
本発明は、上記問題点に鑑みてなされたもので、天板の一端部に下向きの荷重が加わったり、天板を持ち上げたりしても、天板が什器本体より浮き上がることがないようにした、天板の高さ調節装置を提供することを目的としている。
【課題を解決するための手段】
【０００７】
本発明によると、上記課題は、次のようにして解決される。
(１)什器本体の上方に配設した天板の下面の少なくとも３箇所に、下向きの調整軸を突設し、この調整軸と、上下方向の少なくとも一部が操作つまみ部となっている操作部材とを、それらの一方に設けた上下方向を向くめねじに、他方に設けたおねじ部を螺合させ、かつ前記調整軸または操作部材の下端部を、前記什器本体の上面に設けた支持孔に回動自在に嵌合させて支持し、前記操作つまみ部を回動させることにより、前記天板の高さを調節しうるようにした天板の高さ調節装置において、前記什器本体の上面における支持孔の近傍に、平板状をなす基片と、その対向する側縁より下向きに延出し、かつ下端部に係合部を有する１対の係合片とからなる抜け止め部材を、両係合部を前記什器本体の上面に設けられた被係合部に係合させることにより、前記基片の下面の少なくとも一部が、前記操作つまみ部の上端と近接または当接するようにして装着する。
【０００８】
(２)上記(１)項において、両係合片を、互いに内向きに弾性変形可能な弾性係合片とし、かつ係合部を外向き鉤状の係合爪とするとともに、被係合部を係合孔とし、前記両弾性係合片を内向きに弾性変形させつつ、前記係合爪を係合孔に弾性係合させる。
【０００９】
(３)上記(１)または(２)項において、両係合片を、下方に向かって漸次ハ字状に拡開するとともに、下端部がほぼ垂直をなす形状とする。
【００１０】
(４)上記(１)〜(３)項のいずれかにおいて、両係合片の上端部の対向面間の寸法を、操作つまみ部の外径とほぼ等しくする。
【００１１】
(５)上記(１)〜(４)項のいずれかにおいて、抜け止め部材の基片に、操作つまみ部の外径よりも小径で、かつ調整軸または操作部材のおねじ部に挿通される通孔を設ける。
【００１２】
(６)上記(１)〜(４)項のいずれかにおいて、抜け止め部材の基片に、調整軸または操作部材のおねじ部に側方より嵌合される、平面視横向きＵ字状の取付溝を設ける。
【発明の効果】
【００１３】
請求項１記載の発明によれば、什器本体の上面に、抜け止め部材を、その平板状の基片の下面が操作つまみ部の上端と近接または当接するようにして止着したので、調整軸または操作部材の下端部が、什器本体の支持孔より抜け外れるのが防止される。
従って、天板の一端部に上方より強い荷重が加わったり、天板を持って什器本体を持ち上げたりしても、天板が浮き上がって、什器本体より外れる恐れはない。
【００１４】
請求項２記載の発明によれば、抜け止め部材の両弾性係合片を指でつまんで内向きに弾性変形させるだけで、抜け止め部材を、什器本体の上面に、上方から着脱可能として容易に装着しうるとともに、装着時には、係合爪が係合孔に弾性係合しているので、什器本体より抜け止め部材が簡単に外れる恐れがない。
【００１５】
請求項３記載の発明によれば、両係合片はハ字状に拡開しており、かつ下端部は垂直を成しているので、垂直部を指でつまむことにより、両係合片を内向きに容易に弾性変形することができ、操作性が向上する。
【００１６】
請求項４記載の発明によれば、操作つまみ部の上部外周面が、両係合片の上端部の対向面と摺接するので、操作部材を、がたなく円滑に回動させることができる。
【００１７】
請求項５記載の発明によれば、抜け止め部材を、予め調整軸または操作部材のおねじ部に挿通しておけるので、それを紛失させる恐れがない。
【００１８】
請求項６記載の発明によれば、調整軸と操作部材とを連結したままで、抜け止め部材を側方より簡単に取付けたり、取外したりすることができる。
【発明を実施するための最良の形態】
【００１９】
以下、本発明の実施形態を、図面に基づいて説明する。
図１は、本発明の天板の高さ調節装置を備える物品収納什器の斜視図で、前面が開口された箱状の什器本体１の下面の四隅部には、キャスタ２が取付けられ、かつ前面の開口部には、開口部を左右半分ずつ開閉可能なスライド扉３が取付けられている。
【００２０】
什器本体１の上面板４の上方には、左右寸法が上面板４の左右寸法のほぼ半分の長さで、前後寸法が上面板４のそれよりも若干大とされた天板５が、本発明における前後左右の４個の高さ調節装置６を介して、右半部と左半部とに選択的に取付可能として載置されている。
【００２１】
図２の拡大分解斜視図（左右同一構造につき、右方のみを図示する）及び図３の拡大縦断側面図に示すように、各高さ調節装置６は、上端部を除く下部全体がおねじ部７となっている調整軸８と、上端部に操作つまみ部９aを有し、その下方に、操作つまみ部９aよりも小径のめねじ筒９bが連設された筒状の操作部材９と、この操作部材９のめねじ筒９bが回動自在に嵌合される軸孔１０を有し、かつ上端により操作つまみ部９aの下端を支持しうる硬質合成樹脂製の支持筒１１と、操作部材９の操作つまみ部９aを跨ぐようにして、調整軸８に嵌合される合成樹脂製の抜け止め部材１２とからなり、調整軸８のおねじ部７に、めねじ筒９bの内周面に形成されためねじ１３を螺合することにより、調整軸８と操作部材９とが互いに相対移動可能に連結されるようになっている。
【００２２】
操作つまみ部９aの内径は、調整軸８の外径よりも僅かに大径とされ、またその外周面には、上下方向を向く滑り止め用の凹凸条が多数形成されている。
【００２３】
前後の調整軸８の上端は、天板５の側端部下面に、複数のねじ１４により固定された帯板状の支持金具１５における前後両端部の下面に、溶接等により固着されている。
【００２４】
上面板４は、例えば鋼板よりなる上板４aと下板４bとを、図３に示すように、それらの対向面に空間が形成されるようにして結合したものよりなっている。
支持筒１１は、上記上板４aと下板４bの四隅部及び中央部の前後両端部に穿設された支持孔１６と、什器本体１の左右の側板１７と中仕切板（図示略）の上端部に形成された有底の支持孔１８とに、上方より圧嵌され、上端の拡径鍔部１１aが支持孔１６の開口縁に係止されて、上面板４の上面より若干突出している。
【００２５】
中央に圧嵌された支持筒１１の中心から、左右の両側端部に圧嵌された支持筒１１の中心までの左右寸法は、天板５を什器本体１の左半部と右半部とに選択して取付けうるように、左右の調整軸８の離間寸法と等しくしてある。
【００２６】
操作部材９のめねじ筒９bを支持筒１１に嵌合した際、操作つまみ部９aの下端が、拡径鍔部１１aの上面と当接することにより、操作部材９全体は、拡径鍔部１１に支持された状態で回動されるようになっている。
【００２７】
操作つまみ部９aの上下寸法は、天板５の高さが最下限位置に調節された状態でも、指による回動操作が可能な寸法、例えば２０mm以上とされている。
【００２８】
上記抜け止め部材１２は、前後方向を向き、かつ調整軸８が挿通可能な通孔１９が中央部に穿設された基片１２a と、この基片１２a の前後両端より側面視ほぼハ字状をなすように下向きに延出し、下端部がほぼ垂直をなす前後1対の弾性係合片１２b、１２bとからなり、両弾性係合片１２bの下端には、外向き鉤状の係合爪１２cが形成されている。弾性係合片１２bの上端から係合爪１２cの下端までの上下寸法は、操作部材９の操作つまみ部９aの上下寸法よりも若干大としてある。
【００２９】
天板５及び高さ調節装置６を什器本体１の上面板４に取付けるには、まず、天板５における下面の四隅部に突設した４本の調整軸８に、抜け止め部材１２、操作部材９の順に嵌合したのち、調整軸８のおねじ部７に、めねじ筒９bのめねじ１３を螺合する。
【００３０】
ついで、天板５を手で持ちながら、上面板４と側板１７の支持孔１６、１８に予め圧嵌しておいた、互いに隣接する前後左右の４個の支持筒１１の軸孔１０に、４個の操作部材９の各めねじ筒９bを、各操作部材９の操作つまみ部９aの下端が、支持筒１１の拡径鍔部１１aの上端と当接するまで、上方より嵌合する。
【００３１】
ついで、抜け止め部材１２の前後の弾性係合片１２b、１２bを指でつまんで、内向きに弾性変形させながら、それらの下端部の係合爪１２c、１２cを、上面板４の上板４aにおける支持孔１６を挟む前後両側に穿設された係合孔２０、２０に挿入し、両弾性係合片１２bから指を離す。すると、両係合片１２b、１２bは外開き状に弾性復元し、係合爪１２cの上端が、係合孔２０における外側の開口縁部の裏面と弾性係合することにより、抜け止め部材１２は、その基片１２a の下面が操作部材９の操作つまみ部９aの上面と近接または当接するようにして、上面板４の上面に止着される(図３参照)。
その結果、操作部材９が支持筒１１より抜け外れるのが防止されることにより、天板５の一端部に上方より強い荷重が加わったり、天板５を持って、什器本体１を持ち上げたりしても、天板５が浮き上がったり、什器本体１より外れたりする恐れはない。
【００３２】
天板５の高さを調節するには、図４に示すように、抜け止め部材１２の左右の開放部より、操作つまみ部９aを指でつまんで、操作部材９全体を回動させ、めねじ筒９bに螺合されている調整軸８を、操作部材９に対し相対的に上下動させればよい。
【００３３】
図５は、本発明の高さ調節装置の第２の実施形態を示す。
【００３４】
この実施形態においては、天板５の下面に、内周面にめねじ２１が形成された筒状の調整軸２２を下向き突設し、この調整軸２２のめねじ孔２１に、操作部材２３における操作つまみ部２３aの上端より起立するおねじ部２３bを螺合することにより、調整軸２２と、操作部材２３とを互いに相対移動可能に連結するとともに、操作部材２３の下端部の下向軸部２３cを、上面板４及び側板１７の支持孔１６、１８に圧嵌した有底の支持筒２４に、その上端に操作つまみ部２３aの下端が当接するまで、回動自在に嵌合し、かつおねじ部２３bに嵌合した、上記と同形の抜け止め部材１２の両係合片１２bを、上述した要領で上面板４に止着したものである。
【００３５】
この実施形態においても、操作部材２３の操作つまみ部２３aの上面と近接する上方に、抜け止め部材１２の基片１２a が位置しているので、上記第１の実施形態と同様、天板５が浮き上がるのが防止される。
【００３６】
図６は、本発明の高さ調節装置の第３の実施形態を示す。
この実施形態においては、天板５の下面に、全体がおねじとされた調整軸２５を下向き突設し、この調整軸２５に、全体が操作つまみ部とされた操作部材２６の内周面に形成されためねじ２６aを螺合するとともに、調整軸２５の下端部を、上面板４と側板１７の支持孔１６、１８に圧嵌した有底の支持筒２４に、操作部材２６の下端が支持筒２４の上端と当接するまで、回動自在に嵌合し、かつ操作軸２５に嵌合した、抜け止め部材１２の両係合片１２bを、上述と同じ要領で上面板４に止着してある。
この実施形態においても、抜け止め部材１２の作用により、天板５の浮き上がりが防止される。
また、この実施形態では、上記第１、第２の実施形態のものに比して、操作部材２６の構造が簡素化するので、その製造コストを削減しうる利点がある。
【００３７】
上記各実施形態では、抜け止め部材１２が紛失しないように、その基片１２a に設けた通孔１９を、調整軸８、２５またはおねじ部２３bに挿通しておけるようにしているが、図７に示すように、基片１２a に、一側方に開口する平面視横向きＵ字状の取付溝２７を設けてもよい。
このようにすると、いずれの実施形態においても、調整軸７、２２、２５に操作部材９、２３、２６を装着したままで、抜け止め部材１２を簡単に取付けたり、取外したりすることができる。
【００３８】
また、係合孔２０を一側方にずらすことにより、基片１２a の下面の一部が、操作つまみ部９a、２３aや操作部材２６の外周部の上面と近接または当接するようにし、基片１２a に設けた通孔１９や取付溝２７を省略することもある。
【００３９】
第１〜第３の上記実施形態においては、いずれも、什器本体１の上面板４と側板１７等に、支持孔１６、１８を設け、それらに、支持筒１１、２４を圧嵌しているが、上面板４や側板１７等に、操作部材９、２３及び調整軸２５が回動自在に直接嵌合される支持孔を設け、支持筒１１、２４を省略することもある。
【００４０】
また、第１及び第２の実施形態においては、操作つまみ部９a、２３aの下面を、支持筒１１、２４の上端に当接させることにより、操作部材９、２３を什器本体１に回動自在に支持しているが、第１の実施形態においては、支持筒１１を有底円筒形として、その内底面に、操作部材９の下端を当接させることにより、また第２の実施形態においては、支持筒２４の内底面に、下向軸部２３cの下端を当接させることにより、それぞれ、操作部材９、２３を什器本体１により回動自在に支持するようにしてもよい。
【図面の簡単な説明】
【００４１】
【図１】本発明の高さ調節装置の第１の実施形態を備える物品収納什器の斜視図である。
【図２】同じく、高さ調節装置と、その取付部の要部の分解斜視図である。
【図３】同じく、高さ調節装置と、その取付部の拡大縦断側面図である。
【図４】同じく、天板の高さの調節要領を示す斜視図である。
【図５】本発明の高さ調節装置の第２の実施形態を示す、図３と同部位の縦断側面図である。
【図６】同じく、第３の実施形態を示す、図３と同部位の縦断正面図である。
【図７】抜け止め部材の変形例を示す斜視図である。
【符号の説明】
【００４２】
１    什器本体
２    キャスタ
３    スライド扉
４    上面板
４a   上板
４b   下板
５    天板
６    高さ調節装置
７    おねじ部
８    調整軸
９    操作部材
９a   操作つまみ部
９b   めねじ筒
１０  軸孔
１１  支持筒
１２  抜け止め部材
１２a 基片
１２b 弾性係合片
１２c 係合爪
１３  めねじ
１４  ねじ
１５  支持金具
１６  支持孔
１７  側板
１８  支持孔
１９  通孔
２０  係合孔
２１  めねじ
２２  調整軸
２３  操作部材
２３a 操作つまみ部
２３b おねじ部
２３c 下向軸部
２４  支持筒
２５  調整軸
２６  操作部材
２６a めねじ
【図１】
0005027609.tif 000002
【図２】
0005027609.tif 000003
【図３】
0005027609.tif 000004
【図４】
0005027609.tif 000005
【図５】
0005027609.tif 000006
【図６】
0005027609.tif 000007
【図７】
0005027609.tif 000008